(57)【要約】      （修正有）【課題】購入履歴に応じた優待情報を、最適のタイミングで提供できる情報提供システムを提供する。【解決手段】サーバ１は、端末３を利用するユーザの購入履歴を、ＰＯＳレジスタ２から取得する。端末３において広告が表示されたときに、当該広告中のある商品が一定時間以上表示され、そして、当該商品が当該端末３のＩＤに関連付けられた購入履歴に含まれる場合、サーバ１は、当該商品についての優待情報を生成して、端末３へ送信する。【選択図】図１
2015225601.tif 000002
【特許請求の範囲】
【請求項１】
端末上の広告に含まれる商品が、購入履歴に含まれ、かつ、閲覧対象となったことに応じて、当該商品についての優待情報を提供する、情報提供システム。
【請求項２】
前記端末および前記購入履歴は、同一の識別情報に関連付けられており、
前記優待情報は、当該識別情報に対して提供される、請求項１に記載の情報提供システム。
【請求項３】
前記優待情報は、前記端末上の広告に含まれる商品と、当該商品に関連付けられた商品とを組み合わせた購入についての優待を提供する情報である、請求項１または請求項２に記載の情報提供システム。
【請求項４】
前記優待情報は、前記端末上の広告に含まれる商品の購入を条件として、特典を付与する情報である、請求項１〜請求項３のいずれか１項に記載の情報提供システム。
【請求項５】
前記閲覧対象となった商品は、前記購入履歴に含まれる商品に対して、分類および種類が共通する商品である、請求項１〜請求項４のいずれか１項に記載の情報提供システム。
【請求項６】
前記閲覧対象となった商品は、前記購入履歴に含まれる商品に対して、少なくとも分類が共通する商品である、請求項１〜請求項４のいずれか１項に記載の情報提供システム。
【請求項７】
前記優待情報は、前記端末において、前記購入履歴に含まれる商品が一定時間以上閲覧対象となったことを条件として提供される、請求項１〜請求項６のいずれか１項に記載の情報提供システム。
【請求項８】
前記優待情報は、前記端末に表示された前記広告において、前記購入履歴に含まれる商品に対する操作がなされたことを条件として提供される、請求項１〜請求項７のいずれか１項に記載の情報提供システム。
【請求項９】
前記端末に、前記広告を提供するための提供手段と、
前記端末上の広告において閲覧対象となっている商品を特定するための特定手段と、
前記特定手段によって特定された商品が前記購入履歴に含まれている場合に、当該商品についての前記優待情報を生成するための生成手段とを備える、請求項１〜請求項８のいずれか１項に記載の情報提供システム。
【請求項１０】
前記端末と、前記端末と通信可能なサーバとを備え、
前記サーバは、
前記提供手段と、前記特定手段と、前記生成手段とを含み、
前記生成手段によって生成された前記優待情報を前記端末へ送信するための優待情報送信手段をさらに含む、請求項９に記載の情報提供システム。
【請求項１１】
前記端末と、前記端末と通信可能なサーバとを備え、
前記サーバは、前記提供手段を含み、
前記端末は、前記特定手段と、前記生成手段とを含む、請求項９に記載の情報提供システム。
【請求項１２】
前記サーバは、広告を格納する広告格納手段を含み、
前記提供手段は、前記広告格納手段に格納された広告が更新された場合に、当該更新された広告に含まれる商品を含む購入履歴に関連付けられた端末に対して、当該広告の更新を報知する、請求項１０または請求項１１に記載の情報提供システム。
【請求項１３】
前記端末は、前記広告において、前記購入履歴に含まれる商品を、当該広告中の他の商品と異なる態様で表示する、請求項１〜請求項１２のいずれか１項に記載の情報提供システム。
【請求項１４】
前記端末は、提供された前記優待情報を表示する、請求項１〜請求項１３のいずれか１項に記載の情報提供システム。
【請求項１５】
前記端末は、前記優待情報の表示態様を、時間の経過とともに変更する、請求項１４に記載の情報提供システム。
【請求項１６】
前記優待情報の内容が、時間の経過とともに変更される、請求項１４に記載の情報提供システム。
【請求項１７】
端末に情報を提供するためのサーバであって、
前記端末において表示された広告に含まれる商品が、購入履歴に含まれ、かつ、閲覧対象となったことに応じて、当該商品について、優待情報を提供する、サーバ。
【請求項１８】
広告を表示する端末であって、
当該広告に含まれる商品が、購入履歴に含まれ、かつ、閲覧対象となったことに応じて、当該商品について、優待情報を提供する、端末。
【請求項１９】
端末上の広告に含まれる商品が、購入履歴に含まれ、かつ、閲覧対象となったことに応じて、当該商品について、優待情報を提供する、情報提供方法。
【請求項２０】
コンピュータ読み取り可能なプログラムであって、
前記コンピュータに、端末上の広告に含まれる商品が、購入履歴に含まれ、かつ、閲覧対象となったことに応じて、当該商品について、優待情報を提供するための処理を実行させる、プログラム。
【発明の詳細な説明】
【技術分野】
【０００１】
本開示は、広告に関連する優待情報の提供に関する。
【背景技術】
【０００２】
従来、ユーザに広告などの情報を提供するためのさまざまな方法が提案されている。
たとえば、特開２００３−２４８７７４号公報（特許文献１）には、顧客の購買実績に応じて、当該顧客にクーポン情報を送信するシステムが開示されている。特開２００２−２５９８２１号公報（特許文献２）には、携帯電話のユーザーが希望する商品広告のみをユーザーが移動しているエリアと連動した形で、自動的に入手できるようにするための、広告の配布方法が開示されている。特開２００２−３１２８５６号公報（特許文献３）には、利用者毎の購買履歴に基づいて、利用者毎の個別クーポン券を発行する、クーポン券発行方法が開示されている。
【先行技術文献】
【特許文献】
【０００３】
【特許文献１】特開２００３−２４８７７４号公報
【特許文献２】特開２００２−２５９８２１号公報
【特許文献３】特開２００２−３１２８５６号公報
【発明の概要】
【発明が解決しようとする課題】
【０００４】
従来の技術では、クーポン等の情報の提供に際し、提供のタイミングについては考慮がなされていない。一方で、ユーザは、そのときの気分で、商品を購入するかどうか決める場合も少なくない。したがって、情報の提供のタイミングは、提供された情報によってユーザが実際に商品を購入するかどうかを左右する、重要な要素であると考えられる。特に、スーパーマーケットなど、ユーザが直接足を運ぶ必要がある店舗にとっては、クーポン等の情報の提供によってユーザ（顧客）の購買意欲を向上させ、それによってユーザを店舗へと誘導することに、大きな意義があると考えられる。
【０００５】
本開示は、かかる実情に鑑み考え出されたものであり、その目的は、購入履歴に応じた優待情報を、最適のタイミングで提供することである。
【課題を解決するための手段】
【０００６】
本開示において提供される情報提供システムは、端末上の広告に含まれる商品が、購入履歴に含まれ、かつ、閲覧対象となったことに応じて、当該商品についての優待情報を提供する。
【０００７】
好ましくは、情報提供システムでは、端末および購入履歴は、同一の識別情報に関連付けられており、優待情報は、当該識別情報に対して提供される。
【０００８】
好ましくは、情報提供システムでは、優待情報は、端末上の広告に含まれる商品と、当該商品に関連付けられた商品とを組み合わせた購入についての優待を提供する情報である。
【０００９】
好ましくは、情報提供システムでは、優待情報は、端末上の広告に含まれる商品の購入を条件として、特典を付与する情報である。
【００１０】
好ましくは、情報提供システムでは、閲覧対象となった商品は、購入履歴に含まれる商品に対して、分類および種類が共通する商品である。
【００１１】
好ましくは、情報提供システムでは、閲覧対象となった商品は、購入履歴に含まれる商品に対して、少なくとも分類が共通する商品である。
【００１２】
好ましくは、情報提供システムでは、優待情報は、端末において、購入履歴に含まれる商品が一定時間以上閲覧対象となったことを条件として提供される。
【００１３】
好ましくは、情報提供システムでは、優待情報は、端末に表示された広告において、購入履歴に含まれる商品に対する操作がなされたことを条件として提供される。
【００１４】
好ましくは、情報提供システムは、端末に、広告を提供するための提供手段と、端末上の広告において閲覧対象となっている商品を特定するための特定手段と、特定手段によって特定された商品が購入履歴に含まれている場合に、当該商品についての優待情報を生成するための生成手段とを備える。
【００１５】
好ましくは、情報提供システムでは、端末と、端末と通信可能なサーバとを備え、サーバは、提供手段と、特定手段と、生成手段とを含み、生成手段によって生成された優待情報を端末へ送信するための優待情報送信手段をさらに含む。
【００１６】
好ましくは、情報提供システムでは、端末と、端末と通信可能なサーバとを備え、サーバは、提供手段を含み、端末は、特定手段と、生成手段とを含む。
【００１７】
好ましくは、情報提供システムでは、端末は、広告において、購入履歴に含まれる商品を、当該広告中の他の商品と異なる態様で表示する。
【００１８】
好ましくは、情報提供システムでは、端末は、提供された優待情報を表示する。
好ましくは、情報提供システムでは、端末は、優待情報の表示態様を、時間の経過とともに変更する。
【００１９】
情報提供システムでは、優待情報の内容が、時間の経過とともに変更される。
本開示において提供されるサーバは、端末に情報を提供するためのサーバであって、端末において表示された広告に含まれる商品が、購入履歴に含まれ、かつ、閲覧対象となったことに応じて、当該商品について、優待情報を提供する。
【００２０】
本開示において提供される端末は、広告を表示する端末であって、当該広告に含まれる商品が、購入履歴に含まれ、かつ、閲覧対象となったことに応じて、当該商品について、優待情報を提供する。
【００２１】
本開示において提供される情報提供方法は、端末上の広告に含まれる商品が、購入履歴に含まれ、かつ、閲覧対象となったことに応じて、当該商品について、優待情報を提供する。
【００２２】
本開示において提供されるプログラムは、コンピュータ読み取り可能なプログラムであって、コンピュータに、端末上の広告に含まれる商品が、購入履歴に含まれ、かつ、閲覧対象となったことに応じて、当該商品について、優待情報を提供するための処理を実行させる。
【発明の効果】
【００２３】
本開示によれば、優待情報が、ユーザに、当該商品の購入を決定させる可能性の高いタイミングで提供される。
【図面の簡単な説明】
【００２４】
【図１】情報提供システムの利用態様の一例を模式的に示す図である。
【図２】広告の閲覧およびクーポンの取得について、端末の動作を説明するための図である。
【図３】情報提供システムの構成の一例を示す図である。
【図４】情報提供システムの機能的な構成の一例を示す図である。
【図５】情報提供システムにおいて優待情報が生成される際に利用される情報の具体例を示す図である。
【図６】情報提供システムにおいて優待情報が生成される際に利用される情報の具体例を示す図である。
【図７】情報提供システムにおいて優待情報の生成のために実行される処理の一例の流れを説明するための図である。
【図８】第４の実施の形態の優待情報において閲覧対象商品と組み合わされる商品を示す情報（組み合わせ情報）の一例を示す図である。
【図９】当該情報の一例を示す図である。
【図１０】第７の実施の形態における、端末での表示画面の遷移を説明するための図である。
【図１１】第８の実施の形態の情報提供システムの機能構成の一例を示す図である。
【図１２】第８の実施の形態の情報提供システムにおいて、優待情報の生成のために実行される処理の一例の流れを説明するための図である。
【図１３】第１０の実施の形態における広告の表示態様の一例を示す図である。
【図１４】第１１の実施の形態における優待情報の表示態様の変化の一例を説明するための図である。
【図１５】第１１の実施の形態における優待情報の表示態様の変化の他の例を説明するための図である。
【発明を実施するための形態】
【００２５】
以下、図面を参照しつつ、本開示の実施の形態について説明する。以下の説明では、同一の部品には同一の符号を付してある。それらの名称および機能も同じである。したがって、それらについての詳細な説明は繰り返さない。
【００２６】
［第１の実施の形態］
＜情報提供システムの利用態様の一例＞
図１は、情報提供システムの利用態様の一例を模式的に示す図である。情報提供システムでは、図１において場面ＳＴ０１，ＳＴ０２，ＳＴ０３として示される、３つの場面が想定される。以下、各場面の内容を説明する。
【００２７】
（場面ＳＴ０１）
まず場面ＳＴ０１において、ユーザは、店舗において商品を購入する。そして、ユーザは、当該購入のレシートを、ＰＯＳ（Point Of Sale）レジスタ２から、電子レシートとして受領する（図１中の「（１）」）。取得された電子レシートは、端末３に保存される。一方、ＰＯＳレジスタ２は、当該購入の履歴を、サーバ１に送信する。図１および以下の説明では、端末３は、特定のユーザに対応することを示すために、「端末Ａ」とも記載される。端末３は、たとえば、タブレット型の携帯端末、スマートフォン、携帯電話機などの情報処理装置であって、電子広告を表示する機能を有する。
【００２８】
上記電子レシートの受領の際、端末３（端末Ａ）は、ＰＯＳレジスタ２に対して、端末３（端末Ａ）のＩＤを送信する。ＰＯＳレジスタ２は、電子レシートを端末３（端末Ａ）に送信するとともに、上記購入の履歴を端末３（端末Ａ）のＩＤに関連付けて、サーバ１へ送信する。ＰＯＳレジスタ２からの購入の履歴の送信に応じて、サーバ１は、端末３（端末Ａ）のＩＤに関連付けて、上記購入の履歴を格納する。
【００２９】
第１の実施の形態では、端末３のＩＤは、購入履歴の管理の対象である識別情報の一例である。情報提供システムでは、識別情報ごとに購入履歴が管理され、また、識別情報ごとに優待情報が生成される。
【００３０】
図１では、購入履歴ＲＣとして、端末のＩＤごとの購入履歴の一例が示されている。購入履歴は、購入の日付とともに、商品名（「卵」「牛乳」「魚」等）を含む。
【００３１】
（場面ＳＴ０２）
場面ＳＴ０２は、場面ＳＴ０１より後に生じる場面の一例である。場面ＳＴ０２では、端末３は、サーバ１から、店舗からの電子広告を受信する（図１中の「（２）」）。ユーザは、当該電子広告を、端末３で閲覧する（図１中の「（３）」）。本明細書において、「閲覧」とは、端末３の表示部３０６に表示させることなどによって、ユーザが視認可能な状態とすることを意味する。
【００３２】
サーバ１は、上記電子広告に加えて、端末３（端末Ａ）に対して、当該端末３（端末Ａ）に関連付けられた購入履歴に基づいて作成された優待情報を表示する。優待情報とは、クーポンなどの、商品の購入に際して割引を得るための情報を含む。「商品」とは、物理的な実体を有する物品に加えて、物理的な実体のないサービスをも含むことが意図される。また、優待情報は、ユーザを優待するための情報であれば、限定商品の購入の権利の付与、商品の開発秘話などの情報の付与など、商品購入の割引以外の情報も含み得る。たとえば、優待情報は、広告上の商品を購入することにより、販売数量が限定された特別な商品を購入する権利を付与するものであってもよい。これにより、限定商品の購入を所望するユーザの商品の購入および来店を促進できる。
【００３３】
さて、図１の例において、サーバ１は、購入履歴ＲＣに含まれる各商品について、優待情報を生成する。たとえば、サーバ１は、優待情報として、購入履歴ＲＣに含まれる「卵」という商品について、当該「卵」と同日に購入された頻度の高い「牛乳」とともに購入することにより、最初に配信された広告に記載されているよりもさらに割引を提供する、クーポンを生成する。
【００３４】
そして、サーバ１は、端末３（端末Ａ）において、配信された広告中の「卵」が、一定時間以上閲覧されたことを条件として、端末３（端末Ａ）に、上記のように「卵」という商品について生成されたクーポンを送信する（図１中の「（４）」）。なお、「一定時間以上閲覧」という条件は、「一定回数以上閲覧」という条件に変更されてもよい。図１の例では、当該クーポンは、「卵」と「牛乳」との組み合わせの購入に対して、「２０円」の割引を提供する。ユーザは、端末３が受信したクーポンを、たとえば当該端末３に保存する。
【００３５】
（場面ＳＴ０３）
場面ＳＴ０３は、場面ＳＴ０２より後に生じる場面の一例である。場面ＳＴ０３では、ユーザは、店舗において、図１中の「（４）」において端末３に保存したクーポンを利用して、商品（卵と牛乳）を購入する（図１中の「（５）」）。
【００３６】
ＰＯＳレジスタ２は、当該購入の履歴も、端末３（端末Ａ）と関連付けて、サーバ１に送信する。サーバ１は、新たに受信した購入の履歴を、端末３（端末Ａ）と関連付けられた購入履歴ＲＣに追加する。このようにして、サーバ１では、購入の履歴が蓄積される。
【００３７】
情報提供システムでは、場面ＳＴ０１〜ＳＴ０３が繰り返されることにより、端末３のＩＤごとに購入履歴が蓄積され、また、クーポンが生成された場合は、当該クーポンが端末３へ送信（提供）される。
【００３８】
＜クーポン取得時の端末における表示態様の一例＞
図２は、上記の場面ＳＴ０２における、広告の閲覧およびクーポンの取得について、端末３の動作を説明するための図である。図２には、端末３に表示される４パターンの画像を表示する画面（画面３３０〜３６０）が示されている。
【００３９】
画面３３０は、端末３にインストールされている、広告を表示するためのアプリケーション（以下、「広告アプリ」ともいう）によって表示される画面の一例である。画面３３０は、広告を表示する店舗を選択するための画面である。表示欄３３１には、選択される店舗の候補が列挙されている。ユーザは、列挙されている店舗から１つ以上の店舗を選択し、選択ボタン３３２を操作することにより、表示させる広告を指定する。
【００４０】
画面３４０は、広告の表示の一例を示す。画面に対してユーザがスワイプ操作をすることにより、広告中の表示される部分が変更される。図中の手Ｈは、スワイプ操作をするユーザの手を示す。
【００４１】
画面３５０は、画面３４０から、スワイプ操作による変更後の広告の表示部分を表示する。画面３５０は、端末３（端末Ａ）の購入履歴に含まれる商品「卵」についての広告欄３５１を含む。広告欄３５１は、文字列「たまご１００円」を含む。広告欄３５１が端末３において一定時間（たとえば、５秒間）以上表示されたことが検出されると、サーバ１は、上記したように、「卵」についてのクーポン（優待情報）を端末３に送信する。
【００４２】
画面３６０は、送信されたクーポン３６１を表示する。クーポン３６１によって特定される優待情報は、端末３において保存される。一例では、端末３は、当該優待情報の受信を条件として、当該優待情報を保存する。他の例では、端末３は、当該優待情報の受信後、積極的な操作（たとえば、保存ボタンへのタッチ）を条件として、当該優待情報を保存する。
【００４３】
＜情報提供システムのハードウェア構成＞
図３は、情報提供システムの構成の一例を示す図である。図３を参照して、本実施の形態に係る情報提供システムは、広告を配信するサーバ１、ならびに、サーバ１と通信ネットワークＮＴを介して通信する複数のＰＯＳレジスタ２および複数の端末３を含む。通信ネットワークＮＴは、インターネットを含む各種ネットワークを含む。サーバ１、ＰＯＳレジスタ２、および端末３のそれぞれについて、構成を説明する。
【００４４】
（サーバ１）
サーバ１は、ＣＰＵ（Central Processing Unit）１０１、記憶部１１０、および通信ネットワークＮＴを介して外部装置と通信するための通信部１０５を備える。記憶部１１０は、ハードディスク、ＲＯＭ（Read Only Memory）、ＲＡＭ（Random Access Memory）など各種記憶デバイスからなる。記憶部１１０には、広告コンテンツＤＢ（データベースの略）１１１、プロモーション情報ＤＢ１１２、およびユーザ情報ＤＢ１１３が格納される。
【００４５】
広告コンテンツＤＢ１１１は、端末３において表示される広告のコンテンツを格納する。広告コンテンツＤＢ１１１には、２以上の店舗の広告のコンテンツが格納され得る。プロモーション情報ＤＢ１１２は、上記した優待情報を作成する際に利用される情報が格納される。格納される情報の具体的な例は、後述される。ユーザ情報ＤＢ１１３は、図１の購入履歴ＲＣ等の、端末３（および、そのユーザ）に関する情報が格納される。
【００４６】
通信部１０５は、たとえばＩＥＥＥ（Institute of Electrical and Electronic Engineers）８０２．１１ａ／ｂ／ｇ／ｎなどの規格に従う無線ＬＡＮ（Local Area Network）または、有線ＬＡＮによりインターネットに接続する。
【００４７】
サーバ１は、Ｉ／Ｆ（インターフェイス）１２１をさらに含む。Ｉ／Ｆ１２１は、ＣＤ（Compact Disc）−ＲＯＭ等の記憶媒体１２２が着脱自在に装着され、記憶媒体１２２のデータにアクセスする。ＣＰＵ１０１によって実行されるプログラムは、記憶媒体１２２に記憶されている場合もある。
【００４８】
（ＰＯＳレジスタ２）
複数のＰＯＳレジスタ２のそれぞれは同様の構成を有する。ＰＯＳレジスタ２は、ＣＰＵ２０１、プログラムおよびデータを格納するための不揮発性メモリを含む記憶部２０３、作業領域およびデータの一時記憶領域として利用される一時記憶部２０４、ユーザが情報を入力するために操作する操作部２０５、情報を表示するための表示部２０６、通信部２０９、Ｉ／Ｆ（インターフェイス）２１０、および、タイマ２１２を備える。
【００４９】
操作部２０５は、ユーザによる情報の入力操作を受付けるための機能を有し、ボタン、キー、タッチパネル、バーコードリーダなどからなる。通信部２０９は、通信部１０５と同様に、たとえばＩＥＥＥ８０２．１１ａ／ｂ／ｇ／ｎなどの規格に従う無線ＬＡＮまたは、有線ＬＡＮによりインターネットに接続する。Ｉ／Ｆ２１０は、ＣＤ−ＲＯＭ等の記憶媒体２１１が着脱自在に装着され、記憶媒体２１１のデータにアクセスする。ＣＰＵ２０１によって実行されるプログラムは、記憶媒体２１１に記憶されている場合もある。タイマ２１２は、時間を計測する。
【００５０】
（端末３）
複数の端末３のそれぞれは同様の構成を有する。端末３は、ＣＰＵ３０１、プログラムおよびデータを格納するための不揮発性メモリを含む記憶部３０３、作業領域およびデータの一時記憶領域として利用される一時記憶部３０４、ユーザが情報を入力するために操作する操作部３０５、情報を表示するための表示部３０６、通信部３０９、Ｉ／Ｆ（インターフェイス）３１０、および、タイマ３１２を備える。
【００５１】
操作部３０５は、ユーザによる情報の入力操作を受付けるための機能を有し、ボタン、キー、トラックボール、タッチパネルなどからなる。通信部３０９は、通信部１０５および通信部２０９と同様に、たとえばＩＥＥＥ８０２．１１ａ／ｂ／ｇ／ｎなどの規格に従う無線ＬＡＮまたは、有線ＬＡＮによりインターネットに接続する。Ｉ／Ｆ３１０は、ＣＤ−ＲＯＭ等の記憶媒体３１１が着脱自在に装着され、記憶媒体３１１のデータにアクセスする。ＣＰＵ３０１によって実行されるプログラムは、記憶媒体３１１に記憶されている場合もある。タイマ３１２は、時間を計測する。
【００５２】
＜情報提供システムの機能構成＞
図４は、情報提供システムの機能的な構成の一例を示す図である。
【００５３】
（サーバ１）
サーバ１は、購入履歴取得部１５１と、購入履歴格納部１５２とを含む。購入履歴取得部１５１は、複数のＰＯＳレジスタ２のそれぞれからユーザ（顧客）の購入履歴を取得（受信）する。購入履歴格納部１５２は、当該購入履歴を、ユーザ情報ＤＢ１１３に、購入履歴ＲＣ（図１参照）として格納する。購入履歴取得部１５１は、たとえば所定のプログラムを実行するＣＰＵ１０１と、通信部１０５とによって実現される。購入履歴格納部１５２は、たとえば所定のプログラムを実行するＣＰＵ１０１によって実現される。
【００５４】
また、サーバ１は、広告提供部１６１を含む。広告提供部１６１は、広告コンテンツＤＢ１１１に格納された広告用のコンテンツを、複数の端末３に配信する。また、広告提供部１６１は、端末３において指定された広告を、広告コンテンツＤＢ１１１から抽出して、端末３に送信する。広告提供部１６１は、たとえば所定のプログラムを実行するＣＰＵ１０１と、通信部１０５とによって実現される。
【００５５】
また、サーバ１は、閲覧位置取得部１７１と、閲覧対象商品特定部１７２と、優待情報生成部１７３と、優待情報送信部１７４とを含む。閲覧位置取得部１７１は、端末３において閲覧の対象となっている位置（広告の中で、実際に画面に表示されている部分）を特定する情報を取得する。閲覧対象商品特定部１７２は、表示対象となっている広告のコンテンツ情報（たとえば、広告コンテンツＤＢ１１１に格納されている）を参照することにより、広告において、閲覧位置取得部１７１が取得した位置（部分）に含まれる商品を特定する。優待情報生成部１７３は、閲覧対象商品特定部１７２によって特定された商品について、購入履歴ＲＣを利用して、上記したクーポン等の優待情報を生成する。優待情報送信部１７４は、優待情報生成部１７３が生成した優待情報を、端末３へ送信する。
【００５６】
閲覧位置取得部１７１および優待情報送信部１７４は、たとえば、所定のプログラムを実行するＣＰＵ１０１と、通信部１０５とによって実現される。閲覧対象商品特定部１７２および優待情報生成部１７３は、たとえば所定のプログラムを実行するＣＰＵ１０１によって実現される。
【００５７】
（ＰＯＳレジスタ２）
ＰＯＳレジスタ２は、購入履歴取得部２２１と購入履歴送信部２２２とを含む。購入履歴取得部２２１は、ユーザ（顧客）による商品の購入の際の決済情報に基づいて、購入履歴を生成する。購入履歴取得部２２１は、また、決済の際に提示された端末３のＩＤを取得する。上記購入履歴は、端末３のＩＤに関連付けられる。購入履歴送信部２２２は、購入履歴取得部２２１によって生成された購入履歴を、端末３のＩＤとともにサーバ１へ送信する。
【００５８】
購入履歴取得部２２１は、たとえば、所定のプログラムを実行するＣＰＵ２０１と、通信部２０９とによって実現される。購入履歴送信部２２２は、所定のプログラムを実行するＣＰＵ２０１によって実現される。
【００５９】
（端末３）
端末３は、広告取得部３２１と、情報表示部３２２と、閲覧位置特定部３２３と、閲覧位置送信部３２４とを含む。広告取得部３２１は、サーバ１から広告コンテンツを受信する。情報表示部３２２は、広告および優待情報を表示部３０６に表示する。閲覧位置特定部３２３は、広告において実際に表示部３０６に表示されている位置（部分）を特定する。閲覧位置送信部３２４は、閲覧位置特定部３２３によって特定された位置（部分）をサーバ１へ送信する。
【００６０】
広告取得部３２１および閲覧位置送信部３２４は、たとえば、所定のプログラムを実行するＣＰＵ３０１と、通信部３０９とによって実現される。情報表示部３２２および閲覧位置特定部３２３は、たとえば、所定のプログラムを実行するＣＰＵ３０１によって実現される。
【００６１】
＜情報の具体例＞
図５および図６は、情報提供システムにおいて優待情報が生成される際に利用される情報の具体例を示す図である。
【００６２】
図５には、ユーザ情報ＤＢ１１３に格納される購入履歴の一例が示されている。図１を参照して説明されたように、購入履歴は、端末３ごとに、各日に購入された商品の名称を含む。購入履歴における商品の格納態様は、図５に示されたものに限定されない。購入履歴では、購入された商品が、日ごとに格納されていてもよいし、各日の取引ごとに格納されていてもよい。
【００６３】
また、購入履歴は、購入された各商品の賞味期限など、各商品に付随する情報を含んでていてもよい。端末３において閲覧対象となった広告上の商品が購入履歴に含まれる場合、当該購入履歴中の商品の賞味期限が到来していることを条件として、当該商品の優待情報が提供されてもよい。
【００６４】
図６には、プロモーション情報ＤＢ１１２に格納される割引額情報の一例が示されている。割引額情報は、商品ごとに、どの商品と組み合わされたときに優待情報においていくらの割引が与えられるかを特定する情報である。図６に示された例は、商品「卵」についての割引額情報を示す。図６に示されるように、商品「卵」について優待情報が生成される場合、商品「卵」が商品「牛乳」と組み合わされたときの割引額は「２０円」であり、商品「卵」が商品「ヨーグルト」と組み合わされたときの割引額は「３０円」である。
【００６５】
＜処理の流れ＞
図７は、情報提供システムにおいて優待情報の生成のために実行される処理の一例の流れを説明するための図である。図７を参照して、処理の流れを説明する。図７には、サーバ１、ＰＯＳレジスタ２、および、端末３のそれぞれにおいて実行される処理のフローチャートが記載されている。サーバ１、ＰＯＳレジスタ２、および、端末３における処理は、たとえば、それぞれのＣＰＵ（ＣＰＵ１０１，２０１，３０１）が所定のプログラムを実行することによって、つまり、ハードウェアがソフトウェアと協働することによって、実行される。
【００６６】
ＰＯＳレジスタ２は、ステップＳＡ１０で、顧客の取引に応じて購入履歴を取得（生成）する。また、ＰＯＳレジスタ２は、当該購入履歴を、端末３のＩＤに関連付ける。そして、ＰＯＳレジスタ２は、サーバ１へ、当該購入履歴を送信する。
【００６７】
サーバ１は、ステップＳＢ１０で、ＰＯＳレジスタ２から受信した購入履歴を取得し、ユーザ情報ＤＢ１１３に格納する。
【００６８】
端末３は、ステップＳＣ１０で、広告の指定を受付け（図２の画面３３０参照）、当該広告の送信をサーバ１へ要求する。
【００６９】
当該要求に応じて、サーバ１は、ステップＳＢ２０で、端末３に広告を送信する。
当該送信に応じて、端末３は、ステップＳＣ２０で、サーバ１から受信した広告を表示する（図２の画面３４０，３５０）。そして、端末３における制御は、ステップＳＣ３０へ進められる。なお、端末３は、広告の表示に際し、図２が参照されて説明されたように、ユーザからのスワイプ操作等に応じて、表示される内容を適宜変更する。
【００７０】
端末３は、ステップＳＣ３０で、広告のうち、表示部３０６において表示の対象となっている位置（部分）を特定する。そして、端末３は、当該位置（部分）をサーバ１へ、当該端末３のＩＤとともに送信する。
【００７１】
当該送信に応じて、サーバ１は、ステップＳＢ３０で、一定時間以上表示部３０６に表示された広告上の商品が、送信元の端末３のＩＤに関連付けられた購入履歴中に存在するかどうかを判断する。そして、サーバ１は、存在すると判断すると（ステップＳＢ３０でＹＥＳ）、ステップＳＢ４０へ制御を進め、存在しないと判断すると（ステップＳＢ３０でＮＯ）、ステップＳＢ３０の制御を続行する。
【００７２】
なお、端末３は、たとえば、所定時間（５秒程度）ごとに、ステップＳＣ３０における位置の送信を実行する。送信される位置は、たとえば当該所定時間内の、特定時間（たとえば、１秒程度）ごとに特定された位置の履歴を含む。サーバ１は、端末３から位置を受信するたびに、ステップＳＢ３０の制御を実行する。また、サーバ１は、端末３ごとに、そして、広告ごとに、端末３においてすでに表示された位置に含まれる商品と、各商品が表示された時間の累積とを蓄積している。そして、当該蓄積している情報と新しく端末３から受信した情報とに基づいて、ステップＳＢ３０における判断を実行する。
【００７３】
そして、サーバ１は、ステップＳＢ４０で、ステップＳＢ３０において購入履歴に含まれると判断された商品について、優待情報を生成し、端末３へ送信する。
【００７４】
当該送信に応じて、端末３は、ステップＳＣ４０で、サーバ１から受信した優待情報を表示部３０５に表示させる。そして、制御は、ステップＳＣ５０へ進められる。
【００７５】
端末３は、ステップＳ５０で、優待情報を保存するための操作がなされたかどうかを判断する。そして、当該操作がなされたと判断するとステップＳＣ６０へ制御を進める（ステップＳ５０でＹＥＳ）。
【００７６】
端末３は、ステップＳＣ６０で、上記のように保存した優待情報を記憶部３０３に格納して、ステップＳＣ３０へ制御を戻す。
【００７７】
一方、端末３は、ステップＳ５０において、優待情報を保存しないことを示す操作がなされたと判断すると、ステップＳＣ３０へ制御を戻す（ステップＳＣ５０でＮＯ）。
【００７８】
以上、第１の実施の形態では、端末３において広告が表示されたときに、当該広告中のある商品が一定時間以上表示部３０６上に表示され、そして、当該商品が当該端末３のＩＤに関連付けられた購入履歴に含まれる場合、サーバ１は、当該商品についての優待情報を生成して、端末３へ送信する。
【００７９】
これにより、ユーザによる購入の実績がある商品について、当該ユーザが広告において当該商品の購入を検討している可能性の高い状況において、当該商品についての優待情報が提供される。つまり、優待情報が、ユーザに、当該商品の購入を決定させる可能性の高いタイミングで提供される。
【００８０】
また、第１の実施の形態の優待情報は、広告上の商品と、購入履歴において当該商品とともに購入される頻度が高かった商品とを組み合わせた購入を優待する。これにより、優待情報による店舗側の売り上げへの貢献の度合いが向上される。
【００８１】
なお、第１の実施の形態では、優待情報は、広告において閲覧（表示）の対象となった商品（たとえば、「卵」）が、ある程度の頻度で当該商品と一緒に購入されている商品（たとえば、「牛乳」）と組合わされた購入について、割引を与えるものである。
【００８２】
本明細書では、広告において一定時間以上閲覧の対象となった商品を「閲覧対象商品」という。そして、第１の実施の形態の優待情報において、閲覧対象商品と組み合わされる商品は、他の態様で決定される場合もあり得る。
【００８３】
一例として、組み合わされる商品は、たとえば、図５に例示されたような購入履歴において、ある程度の頻度で購入されており、かつ、賞味期限が数日内に到来することが予測される商品である。賞味期限が数日内に到来するかどうかは、購入履歴における当該商品の最新の購入日の日付に基づいて判断される。
【００８４】
なお、各商品の賞味期限は、上記のように購入履歴において格納されていてもよいし、記憶部１１０において各商品を管理する情報の一部として各商品のシリアルナンバと関連付けられる等して格納されていてもよい。
【００８５】
他の例として、サーバ１は、購入履歴に基づいて、商品ごとの購入の周期性を算出する。たとえば、卵については「１週間に一度」、パンについては「３日に一度」といった情報が算出される。そして、サーバ１は、各商品の最新の購入日に基づいて、数日内（または、本日）に、購入されることが予測される商品を、優待情報において、閲覧対象商品と組み合わせる。
【００８６】
また、閲覧対象商品のうち、購入履歴に含まれるすべての商品について、優待情報が生成されない場合もあり得る。たとえば、購入履歴において特定の回数以上の購入が記録されている商品、または、最新の購入日からある程度の期間（たとえば、１か月）が経過している商品に限定され得る。
【００８７】
優待情報における割引の額は、たとえば、図６に例示されたような割引額情報に基づいて決定される。より具体的には、サーバ１は、閲覧対象商品と、図５に例示されたような購入履歴に基づいて組み合わされた商品との組み合わせについて、割引額情報において設定されている割引額を、優待情報における割引の額として決定する。
【００８８】
［第２の実施の形態］
第２の実施の形態の情報提供システムにおける構成は、図３を参照して説明された第１の実施の形態の情報提供システムの構成と同様のものとすることができる。第２の実施の形態の情報提供システムでは、購入履歴として、商品について、図５に示されたものと比較して、より詳細な情報が格納される。より具体的には、図５では、各商品について、その種類（卵、牛乳、等）のみが登録されている。第２の実施の形態では、各商品について、そのメーカまで登録される。つまり、メーカが異なる２つの商品は、異なる商品として識別される。たとえば、Ａ社から販売されている牛乳は、Ｂ社から販売されている牛乳とは異なる商品として識別される。
【００８９】
第２の実施の形態では、端末３において、広告上のＡ社の牛乳が一定時間以上表示された場合、購入履歴がＡ社の牛乳を含むときには、サーバ１は、Ａ社の牛乳についての優待情報を生成し、端末３へ送信する。
【００９０】
一方、同じ場合であっても、購入履歴が、Ｂ社の牛乳を含むが、Ａ社の牛乳を含まないときには、サーバ１は、Ａ社の牛乳についての優待情報を生成しない。広告中の閲覧対象となった商品が、購入履歴に含まれないからである。
【００９１】
これにより、端末３において広告を閲覧するユーザの嗜好に沿った優待情報を提供できる。
【００９２】
また、購入履歴における「商品」の情報は、一例として、商品の分類を特定する情報のみを含む。他の例として、上記「商品」の情報は、同じ分類の商品の中の個々の商品の種類を特定する情報をも含む。
【００９３】
商品の分類を特定する情報の一例は、「パン」である。また、同じ分類の商品の中の、個々の商品の種類を特定する情報の例は、「ジャムパン」「メロンパン」「あんぱん」および「クリームパン」である。
【００９４】
購入履歴における「商品」の情報として、商品の分類を特定する情報のみが含まれる場合、端末３において表示された広告上の商品が、購入履歴に含まれる商品に対して少なくとも商品の分類が共通すれば、優待情報は生成される。より具体的には、購入履歴における「商品」の情報として分類「パン」という情報のみが含まれる場合、ユーザが、端末３で、「ジャムパン」の広告を閲覧すれば「ジャムパン」についての優待情報を提供され、「メロンパン」の広告を閲覧すれば「メロンパン」についての優待情報を提供される。
【００９５】
これにより、過去に購入した実績のある商品と同じ分類に属する商品についての広告を閲覧しているユーザに対して、当該広告上の商品についての優待情報が提供される。これにより、ユーザが、過去に購入した商品と同じ分類であって異なる種類の商品の購入を検討しているタイミングで、優待情報が提供され得る。したがって、過去の購入実績と同じ分類の中で異なる種類の商品の購入を検討するユーザに対して、当該商品の購入を効果的に後押しするタイミングで、上記優待情報が提供される。
【００９６】
一方、購入履歴における「商品」の情報として、商品の分類を特定する情報に加えて、商品の種類を特定する情報までが含まれる場合、端末３において表示された広告上の商品の種類が、購入履歴に含まれる商品の種類と一致しなければ、優待情報は生成されない。より具体的には、購入履歴における「商品」の情報として、分類「パン」に加えて、種類「メロンパン」が含まれる場合、ユーザが、端末３で、「ジャムパン」の広告を閲覧しても当該「ジャムパン」についての優待情報を提供されないが、「メロンパン」の広告を閲覧すれば「メロンパン」についての優待情報を提供される。
【００９７】
これにより、過去に購入した実績のある商品と同じ分類に属しかつ同じ種類の商品の広告を閲覧しているユーザに対して、当該商品についての優待情報が提供される。ユーザは、過去に購入したものと同じ種類の商品を購入する可能性が高い。したがって、広告を閲覧しているユーザは、閲覧対象の商品の購入をかなり高い確率で検討しているタイミングで、当該商品の購入を後押しする情報（優待情報）を提供される。
【００９８】
なお、購入履歴において、上記のような分類および／または種類を特定する情報は、各分類および／または種類の名称そのものであってもよいし、各分類および／または種類を表す識別子であってもよい。
【００９９】
なお、各商品がメーカまで識別される場合であっても、優待情報の生成においては、メーカが異なる同じ種類の商品が同じ商品であるとして取り扱われてもよい。たとえば、広告上のＡ社の「メロンパン」が一定時間以上表示された場合、購入履歴が、Ａ社の「メロンパン」を含むときには、サーバ１は、Ａ社の「メロンパン」についての優待情報を生成し、端末３へ送信する。また、広告上のＡ社の「メロンパン」が一定時間以上表示された場合、購入履歴が、Ａ社の「メロンパン」を含まなくても、Ｂ社の「メロンパン」を含むときには、サーバ１は、Ａ社の「メロンパン」（広告上の商品）についての優待情報がを生成し、端末３へ送信する。これにより、端末３において広告を閲覧するユーザに対して、広い範囲の商品の購入を促進できる。
【０１００】
［第３の実施の形態］
第３の実施の形態の情報提供システムにおける構成は、図３を参照して説明された第１の実施の形態の情報提供システムの構成と同様のものとすることができる。第３の実施の形態の情報提供システムでは、優待情報は、閲覧対象商品のみの購入を優待する。つまり、閲覧対象商品が、他の商品と組み合わされることがない。より具体的には、端末３において、広告上の商品「卵」が一定時間以上閲覧の対象となり、当該商品「卵」が、端末３に関連付けられた購入履歴に含まれる場合、優待情報は、当該商品「卵」の購入についてのクーポンである。
【０１０１】
優待情報は、閲覧対象商品を他の商品と組み合わせないことにより、ユーザは、閲覧対象商品のみを購入すれば優待を受けることができる。つまり、ユーザは、閲覧対象商品の広告を閲覧しているタイミングで、当該閲覧対象商品のみを購入することによって優待され得る情報を取得する。これにより、効果的なタイミングで、ユーザに対して、閲覧対象商品に関する情報が提供される。また、優待情報は、より容易に、ユーザの購入意欲を増進し得る。
【０１０２】
［第４の実施の形態］
第４の実施の形態の情報提供システムにおける構成は、図３を参照して説明された第１の実施の形態の情報提供システムの構成と同様のものとすることができる。第４の実施の形態の情報提供システムでは、優待情報において閲覧対象商品と組み合わされる商品は、購入履歴に関係なく、予め設定されている。図８は、第４の実施の形態の優待情報において閲覧対象商品と組み合わされる商品を示す情報（組み合わせ情報）の一例を示す図である。
【０１０３】
図８の組み合わせ情報において、「広告上の商品」は、閲覧対象商品を示す。また、図８中の「組み合わせられる商品」は、優待情報において閲覧対象商品と組み合わされる商品を示す。より具体的には、たとえば、広告中の「パン」が一定時間以上端末３において表示され、「パン」が当該端末３に対応する購入履歴に含まれる場合、サーバ１は、「パン」、および、組み合わせ情報において「パン」と関連付けられている「ヨーグルト」を組み合わせて購入することに対する割引を提供するための優待情報を生成する。
【０１０４】
第４の実施の形態では、たとえば店舗側が組み合わせ情報を生成し、サーバ１に蓄積しておくことができる。これにより、ユーザに効果的なタイミングで優待情報を提供しつつ、優待情報によって、店舗側が望む商品の売上を促進することができる。
【０１０５】
［第５の実施の形態］
第５の実施の形態の情報提供システムにおける構成は、図３を参照して説明された第１の実施の形態の情報提供システムの構成と同様のものとすることができる。第５の実施の形態では、ユーザは、店舗での商品の購入におけるＰＯＳレジスタ２への識別情報の入力、広告の閲覧、および、優待情報の取得に、それぞれ異なる機器（またはカード）を利用する。より具体的には、ユーザは、店舗が発行する会員カードで、当該店舗での商品の購入において、ＰＯＳレジスタ２へ識別情報を入力する。また、ユーザは、端末３で、広告を閲覧する。また、ユーザは、電子メールで、優待情報を取得する。
【０１０６】
第５の実施の形態では、サーバ１は、ユーザ情報ＤＢ１１３において、上記したような会員カード、端末３、および、電子メールのメールアドレスを、特定のユーザに関連付けるための情報を格納する。図９は、当該情報の一例を示す図である。
【０１０７】
図９に示された「ユーザＩＤ情報」は、ユーザＩＤと、カードＩＤと、端末アドレスと、メールアドレスとを関連付ける。ユーザＩＤは、ユーザを識別する。カードＩＤは、店舗が発行する会員カードを識別する。端末アドレスは、たとえば端末３のＩＰ（Internet Protocol）アドレス等の、端末３を識別する情報である。メールアドレスは、ユーザＩＤで識別されるユーザの電子メールのアドレスである。
【０１０８】
第５の実施の形態では、サーバ１は、たとえばカードＩＤと関連付けて、購入履歴を格納する。ＰＯＳレジスタ２は、店舗において、カードＩＤとともに購入履歴を取得する。そして、ＰＯＳレジスタ２は、カードＩＤとともに購入履歴をサーバ１へ送信する。
【０１０９】
端末３は、当該端末３の端末アドレスとともに、サーバ１へ広告を要求する。これに応じて、サーバ１は、端末アドレス宛てで、広告を送信する。また、サーバ１は、端末３での、広告における閲覧対象の位置を取得する。サーバ１は、取得した閲覧対象の位置について、まず、当該位置に含まれる商品（閲覧対象商品）を特定する。また、サーバ１は、ユーザＩＤ情報において、閲覧対象の位置の送信元の端末アドレスに関連付けられたカードＩＤを抽出し、そして、抽出されたカードＩＤに関連付けられた購入履歴を選択する。そして、サーバ１は、選択された購入履歴において、上記のように特定した閲覧対象商品が含まれる場合に、優待情報を生成する。そして、サーバ１は、生成した優待情報を、閲覧対象の位置の送信元の端末アドレスに関連付けられたメールアドレスへ送信する。ユーザは、当該メールアドレス宛てに送信された優待情報を印刷する等して店舗に持参することにより、または、当該優待情報の受信画面を表示させた端末３を店舗において提示することにより、優待を受けることができる。これにより、ユーザに対して、効果的なタイミングでかつ柔軟な態様で、優待情報が提供される。
【０１１０】
［第６の実施の形態］
第６の実施の形態の情報提供システムにおける構成は、図３を参照して説明された第１の実施の形態の情報提供システムの構成と同様のものとすることができる。第６の実施の形態では、優待情報は、サーバ１に格納される。より具体的には、サーバ１は、端末３に対して優待情報を送信するとともに、ユーザ情報ＤＢ１１３において、端末３のＩＤに関連付けて、優待情報を格納する。
【０１１１】
図１の場面ＳＴ０３において示されたように、優待情報（クーポン）を獲得した後、ユーザは、端末３とともに店舗に行く。そして、ユーザは、ＰＯＳレジスタ２に対して、たとえば端末３を用いて、当該端末３のＩＤを入力する。ＰＯＳレジスタ２は、サーバ１に対して、当該端末３のＩＤに関連付けられた優待情報が格納されているかどうかを問い合わせる。サーバ１は、上記のように優待情報を格納していれば、ＰＯＳレジスタ２に対して、当該端末３のＩＤに関連付けられた優待情報が格納されていることを返信する。これに応じて、ＰＯＳレジスタ２は、優待情報によって提供される優待を、店舗でのユーザによる商品の購入に適用する。これにより、ユーザは、サーバ１に格納された優待情報を用いて、店舗における優待を受けることができる。したがって、ユーザに対して、効果的なタイミングでユーザ側に優待情報の保存等によって課される負担を軽減された態様で、優待情報が提供される。
【０１１２】
［第７の実施の形態］
第７の実施の形態の情報提供システムにおける構成は、図３を参照して説明された第１の実施の形態の情報提供システムの構成と同様のものとすることができる。第７の実施の形態では、サーバ１において広告が更新された場合、サーバ１は、端末３に対して当該更新を通知する。図１０は、第７の実施の形態における、端末３での表示画面の遷移を説明するための図である。図１０には、画面６１０，６２０，６３０として、３つの表示画面の例が示されている。
【０１１３】
図１０を参照して、端末３の表示部３０６には、画面６１０として、アイコン６１１を含む画像が表示される。アイコン６１１は、第１の実施の形態において言及された「広告アプリ」を起動させるためのアイコンである。第７の実施の形態の端末３は、広告アプリが起動される前に、サーバ１から上記した、広告が更新されたことの通知を受ける場合がある。画面６２０は、当該通知を受けたことに応じた、表示部３０６における表示態様を表す。画面６２０は、表示欄６２２を含む。表示欄６２２は、広告が更新されたことを示すメッセージと、更新後の広告の表示を指示するためのボタン６２３とを含む。ボタン６２３が操作されると、端末３は、サーバ１に対して、更新された広告を要求する。これに応じて、サーバ１は、端末３に、更新後の広告（広告コンテンツ）を送信する。これに応じて、端末３は、広告アプリを起動し、受信した広告を表示する。画面６３０は、受信した広告を表示する表示部３０６の表示態様を表す。
【０１１４】
第７の実施の形態では、サーバ１において広告が更新された場合、更新後の広告の閲覧をユーザに促進することができる。また、第７の実施の形態のサーバ１は、第１の実施の形態のサーバ１と同様に、端末３における広告の閲覧態様に基づいて、優待情報を生成し、端末３に送信できる。これにより、情報提供システムは、広告の効果をより一層高めることができる。
【０１１５】
なお、サーバ１は、更新された広告に含まれる商品を含む購入履歴に関連付けられた端末に対してのみ、広告の更新を報知してもよい。より具体的には、ＣＰＵ１０１は、広告コンテンツＤＢ１１１内の広告が更新されたことを検知すると、ユーザ情報ＤＢ１１３において、当該更新された広告に含まれる商品と一致する商品を含む購入履歴を検索する。そして、検索結果として得られた購入履歴に関連付けられた端末に対して、当該広告の更新を報知する。これにより、ユーザは、購入実績のある商品を含む広告が含まれる広告についてのみ、更新を報知される。したがって、ユーザに対して、報知される情報の量を抑えつつ、効果的なタイミングで情報が提供される。
【０１１６】
［第８の実施の形態］
第８の実施の形態の情報提供システムにおける構成は、図３を参照して説明された第１の実施の形態の情報提供システムの構成と同様のものとすることができる。第８の実施の形態の情報提供システムでは、端末３は、広告に加えて、購入履歴を、サーバ１から取得する。そして、サーバ１の代わりに端末３が、優待情報を生成する。
【０１１７】
図１１は、第８の実施の形態の情報提供システムの機能構成の一例を示す図である。図１１の構成は、図４の構成と比較して、サーバ１は、閲覧位置取得部１７１、閲覧対象商品特定部１７２、優待情報生成部１７３、および、優待情報送信部１７４を備えていない。また、サーバ１は、広告提供部１６１の代わりに、情報提供部１８１を備える。
【０１１８】
また、端末３は、情報取得部３２５、情報表示部３２６、閲覧位置特定部３２７、閲覧対象商品特定部３２８、および、優待情報生成部３２９を含む。
【０１１９】
情報取得部３２５は、サーバ１から、広告とともに、端末３に関連付けられた購入履歴を取得する。情報表示部３２６は、情報取得部３２５が取得した広告を表示部３０６に表示する。閲覧位置特定部３２７は、広告のうち、表示部３０６において実際に表示されている位置を特定する。閲覧対象商品特定部３２８は、表示対象となっている広告のコンテンツ情報を参照することにより、広告のうち実際に表示されている位置に含まれる商品を特定する。広告のコンテンツ情報は、たとえば、広告コンテンツＤＢ１１１に格納されており、情報取得部３２５によって広告とともに取得される。優待情報生成部３２９は、第１の実施の形態の優待情報生成部１７３（図４参照）と同様に、閲覧対象商品特定部３２８によって特定された商品について、購入履歴を利用して、優待情報を生成する。また、優待情報生成部３２９は、情報表示部３２６に、生成した優待情報を（表示部３０６上に）表示させる。
【０１２０】
情報取得部３２５は、たとえば、所定のプログラムを実行するＣＰＵ３０１と、通信部３０９とによって実現される。情報表示部３２６、閲覧位置特定部３２７、閲覧対象商品特定部３２８、および、優待情報生成部３２９は、たとえば、所定のプログラムを実行するＣＰＵ３０１によって実現される。
【０１２１】
図１２は、第８の実施の形態の情報提供システムにおいて、優待情報の生成のために実行される処理の一例の流れを説明するための図である。図１２には、図７と同様に、サーバ１、ＰＯＳレジスタ２、および、端末３のそれぞれにおいて実行される処理のフローチャートが記載されている。
【０１２２】
図１２に示された処理では、端末３は、ステップＳＣ１０で、広告を指定し、サーバ１に対して当該広告を要求する。
【０１２３】
当該要求に応じて、サーバ１は、ステップＳＢ２１で、要求された広告とともに、端末３に関連付けられた購入履歴を端末３に送信する。
【０１２４】
当該送信に応じて、端末３は、ステップＳＣ２０で、サーバ１から受信した広告を表示する。そして、端末３は、ステップＳＣ３１で、広告中の閲覧対象商品を特定する。閲覧対象商品は、広告において閲覧対象となっている位置を特定し、さらに、当該位置に含まれる商品を特定することによって、特定される。
【０１２５】
そして、端末３は、ステップＳＣ３３で、一定時間以上閲覧対象商品となった商品が、購入履歴に含まれているかどうかを判断する。そして、当該商品が購入履歴に含まれていると判断するとステップＳＣ３５へ制御を進める（ステップＳＣ３３でＹＥＳ）。一方、当該商品が購入履歴に含まれないと判断するとステップＳＣ３１へ制御を戻す（ステップＳＣ３３でＮＯ）。
【０１２６】
端末３は、ステップＳＣ３５で、一定時間以上閲覧対象商品となった商品について、優待情報を生成し、表示部３０６に表示する（図２の画面３６０参照）。そして、制御は、ステップＳ４０へ進められる。
【０１２７】
以上説明した第８の実施の形態では、一度、サーバ１から端末３に、広告と購入履歴がダウンロードされると、ユーザが、端末３とサーバ１とが通信できない環境において広告を閲覧したときにも、ユーザに、優待情報を提供できる。
【０１２８】
［第９の実施の形態］
第９の実施の形態の情報提供システムにおける構成は、図３を参照して説明された第１の実施の形態の情報提供システムの構成と同様のものとすることができる。第９の実施の形態では、優待情報は、端末３において、広告の閲覧対象商品が一定時間以上閲覧されたことではなく、表示された広告中の商品に対応する部分に対して積極的な操作がなされたことに応じて、生成される。
【０１２９】
積極的な操作の例としては、たとえば、表示された広告中の商品に対応する部分に対するタッチ操作が挙げられる。
【０１３０】
これにより、ユーザが、広告中の各商品が表示されている部分に対して順に上記積極的操作を行なった場合、操作された商品の中で優待情報の生成の対象となる商品があれば、当該商品について、優待情報を取得することができる。したがって、広告の閲覧に一種の遊戯性を付与することができ、これにより、ユーザによる広告の閲覧を促進できる。なお、優待情報の生成の対象となる商品とは、たとえば、広告が閲覧されている端末３に関連付けられた購入履歴に含まれる商品である。
【０１３１】
［第１０の実施の形態］
第１０の実施の形態の情報提供システムにおける構成は、図３を参照して説明された第１の実施の形態の情報提供システムの構成と同様のものとすることができる。第１０の実施の形態の情報提供システムでは、広告において、優待情報の生成の対象となる商品が、他の商品とは異なる態様で表示される。
【０１３２】
図１３は、第１０の実施の形態における広告の表示態様の一例を示す図である。図１３に示された画面３５０Ａは、図２の画面３５０と比較して、優待情報の生成の対象となる商品（たまご）が、他の商品と比較して異なる態様（太線で囲われてる）で表示されている。
【０１３３】
第１０の実施の形態では、上記のような表示が行われるために、端末３に送信される広告は、購入履歴に基づいて加工される。より具体的には、サーバ１は、広告を端末３に送信するとき、広告の送信先の端末３に対応する購入履歴を抽出し、広告に含まれる商品のうち、当該購入履歴に含まれる商品について、広告中の残りの商品と異なる態様で表示されるように、広告（広告コンテンツ）を加工する。そして、サーバ１は、加工後の広告を端末３へ送信する。
【０１３４】
これにより、端末３で広告を閲覧するユーザに対して、より確実に、優待情報が提供され得ることを知らせることができる。
【０１３５】
［第１１の実施の形態］
第１１の実施の形態の情報提供システムにおける構成は、図３を参照して説明された第１の実施の形態の情報提供システムの構成と同様のものとすることができる。第１１の実施の形態では、優待情報の表示態様が、時間の経過とともに優待情報の存在感が低くなるように変更される。図１４は、第１１の実施の形態における優待情報の表示態様の変化の一例を説明するための図である。
【０１３６】
図１４には、画面３７０，３８０，３９０として、端末３の表示部３０６の３つの表示態様が示されている。画面３７０は、図２の画面３６０と同様に、優待情報の一例であるクーポン３７１を表示する。表示部３０６における表示は、時間の経過とともに、画面３７０から画面３８０へ変化し、さらに、画面３９０へ変化する。画面３８０中のクーポン３８１の大きさは、画面３７０中のクーポン３７１より小さい。画面３９０中のクーポン３９１の大きさは、画面３８０中のクーポン３８１より小さい。つまり、第１１の実施の形態では、時間の経過とともに、クーポンの表示が小さくなる。
【０１３７】
また、時間の経過とともに、優待情報による優待の度合いが低下してもよい。図１５は、第１１の実施の形態における優待情報の表示態様の変化の他の例を説明するための図である。変化の態様を特定する情報は、たとえばサーバ１において予め格納されている。サーバ１は、当該情報を利用して、優待情報を生成する。
【０１３８】
図１５には、画面３７５，３８５，３９５として、端末３の表示部３０６の３つの表示態様が示されている。画面３７５は、図２の画面３６０と同様に、優待情報の一例であるクーポン３７６を表示する。表示されるクーポンにおける割引額は、時間の経過とともに、画面３７５から画面３８５へ変化し、さらに、画面３９５へ変化する。画面３８５中のクーポン３８６における割引額（１５円）は、画面３７５中のクーポン３７６における割引額（２０円）より低い。画面３９５中のクーポン３９６の割引額（１０円）は、画面３８０中のクーポン３８１における割引額（１５円）より小さい。つまり、第１１の実施の形態では、時間の経過とともに、クーポンにより割引額が低くなる。割引額の変更の態様を特定する情報は、たとえばサーバ１において予め格納されている。サーバ１は、当該情報を利用して、優待情報を生成する。
【０１３９】
これにより、ユーザに対して、心理的に、表示されているクーポンの保存を促進できる。
【０１４０】
なお、優待情報の表示は、時間の経過とともに、小さくなる代わりに、または小さくなることに加えて、透過度が高くなるように（つまり表示色が薄くなるように）変化してもよい。また、優待情報の表示は、時間の経過とともに、色や形状を変えることなく、他の情報を示す情報へと変更されてもよい。さらに、優待情報の表示は、特定の時間が経過したときには無くなる場合もあり得る。
【０１４１】
［第１２の実施の形態］
第１２の実施の形態の情報提供システムにおける構成は、図３を参照して説明された第１の実施の形態の情報提供システムの構成と同様のものとすることができる。第１２の実施の形態では、端末３に、商品の購入履歴を管理する家計簿アプリケーションがインストールされている。そして、サーバ１は、ＰＯＳレジスタ２からの購入履歴の取得に加えて、端末３から購入履歴を取得する。
【０１４２】
これにより、店舗における購入実績を生成される前のユーザに対しても、優待情報を提供することができる。したがって、店舗における新規の顧客の開拓を促進できる。
【０１４３】
［まとめ］
（１）情報提供システムは、端末３上の広告に含まれる商品が、購入履歴ＲＣに含まれ、かつ、閲覧対象となったことに応じて、当該商品についての優待情報を提供する。これにより、ユーザによる購入の実績がある商品について、当該ユーザが広告において当該商品の購入を検討している可能性の高い状況において、当該商品についての優待情報が提供される。つまり、優待情報が、ユーザに、当該商品の購入を決定させる可能性の高いタイミングで提供される。
【０１４４】
（２）情報提供システムでは、端末３および購入履歴ＲＣは、同一の識別情報に関連付けられており、優待情報は、当該識別情報に対して提供される。これにより、識別情報ごとに特化した優待情報を提供することができる。
【０１４５】
（３）情報提供システムでは、優待情報は、端末３上の広告に含まれる商品と、当該商品に関連付けられた商品とを組み合わせた購入についての優待を提供する情報である。これにより、優待情報による店舗側の売り上げへの貢献の度合いが向上される。
【０１４６】
（４）情報提供システムでは、優待情報は、端末３上の広告に含まれる商品の購入を条件として、特典を付与する情報である。これにより、特典の付与を所望するユーザの商品の購入や来店を促進できる。
【０１４７】
（５）情報提供システムでは、閲覧対象となった商品は、購入履歴ＲＣに含まれる商品に対して、製造元が共通する同じ種類の商品である。これにより、端末３において広告を閲覧するユーザの嗜好に沿った優待情報を提供できる。
【０１４８】
（６）情報提供システムでは、閲覧対象となった商品は、購入履歴ＲＣに含まれる商品に対して、製造元が異なる同じ種類の商品である。これにより、端末３において広告を閲覧するユーザに対して、広い範囲の商品の購入を促進できる。
【０１４９】
（７）情報提供システムでは、優待情報は、端末３において、購入履歴ＲＣに含まれる商品が一定時間以上閲覧対象となったことを条件として提供される。これにより、優待情報が、ユーザに、当該商品の購入を決定させる可能性の高いタイミングで提供される。
【０１５０】
（８）情報提供システムでは、優待情報は、端末３に表示された広告において、購入履歴ＲＣに含まれる商品に対する操作がなされたことを条件として提供される。これにより、ユーザが、広告中の各商品が表示されている部分に対して順に上記積極的操作を行なった場合、操作された商品の中で優待情報の生成の対象となる商品があれば、当該商品について、優待情報を取得することができる。したがって、広告の閲覧に一種の遊戯性を付与することができ、これにより、ユーザによる広告の閲覧を促進できる。
【０１５１】
（９）情報提供システムは、端末３に、広告を提供するための提供手段（広告提供部１６１，情報提供部１８１）と、端末３上の広告において閲覧対象となっている商品を特定するための特定手段（閲覧対象商品特定部１７２，３２８）と、特定手段によって特定された商品が購入履歴ＲＣに含まれている場合に、当該商品についての優待情報を生成するための生成手段（優待情報生成部１７３，３２９）とを備える。
【０１５２】
（１０）情報提供システムでは、端末３と、端末３と通信可能なサーバ１とを備え、サーバ１は、提供手段（広告提供部１６１）と、特定手段（閲覧対象商品特定部１７２）と、生成手段（優待情報生成部１７３）とを含み、生成手段によって生成された優待情報を端末３へ送信するための優待情報送信手段（優待情報送信部１７４）をさらに含む。
【０１５３】
（１１）情報提供システムでは、端末３と、端末３と通信可能なサーバ１とを備え、サーバ１は、提供手段（情報提供部１８１）を含み、端末３は、特定手段（閲覧対象商品特定部３２８）と、生成手段（優待情報生成部３２９）とを含む。
【０１５４】
（１２）サーバは、広告を格納する広告格納手段（広告コンテンツＤＢ１１１）を含み、提供手段（ＣＰＵ１０１）は、広告格納手段に格納された広告が更新された場合に、当該更新された広告に含まれる商品を含む購入履歴に関連付けられた端末に対して、当該広告の更新を報知する。これにより、ユーザに対して、報知される情報の量を抑えつつ、効果的なタイミングで情報が提供される。
【０１５５】
（１３）情報提供システムでは、端末３は、広告において、購入履歴ＲＣに含まれる商品を、当該広告中の他の商品と異なる態様で表示する（図１３）。
【０１５６】
（１４）情報提供システムでは、端末３は、提供された優待情報を表示する（図２の画面３６０）。
【０１５７】
（１５）情報提供システムでは、端末３は、優待情報の表示態様を、時間の経過とともに変更する（図１４）。
【０１５８】
（１６）情報提供システムでは、優待情報の内容が、時間の経過とともに変更される（図１５）。
【０１５９】
（１７）サーバ１は、端末３に情報を提供するためのサーバ１であって、端末３において表示された広告に含まれる商品が、購入履歴ＲＣに含まれ、かつ、閲覧対象となったことに応じて、当該商品について、優待情報を提供する。
【０１６０】
（１８）端末３は、広告を表示する端末３であって、当該広告に含まれる商品が、購入履歴ＲＣに含まれ、かつ、閲覧対象となったことに応じて、当該商品について、優待情報を提供する。
【０１６１】
（１９）情報提供方法は、端末３上の広告に含まれる商品が、購入履歴ＲＣに含まれ、かつ、閲覧対象となったことに応じて、当該商品について、優待情報を提供する。
【０１６２】
（２０）プログラムは、コンピュータ読み取り可能なプログラムであって、コンピュータに、端末３上の広告に含まれる商品が、購入履歴ＲＣに含まれ、かつ、閲覧対象となったことに応じて、当該商品について、優待情報を提供するための処理を実行させる。
【０１６３】
今回開示された実施の形態およびその変形例はすべての点で例示であって制限的なものではないと考えられるべきである。本開示の範囲は上記した説明ではなくて特許請求の範囲によって示され、特許請求の範囲と均等の意味および範囲内でのすべての変更が含まれることが意図される。
【符号の説明】
【０１６４】
１  サーバ、２  ＰＯＳレジスタ、３  端末、１０５，２０９，３０９  通信部、１１０，２０３，３０３  記憶部、１５１，２２１  購入履歴取得部、１５２  購入履歴格納部、１６１  広告提供部、１７１  閲覧位置取得部、１７２，３２８  閲覧対象商品特定部、１７３，３２９  優待情報生成部、１７４  優待情報送信部、１８１  情報提供部、２０４，３０４  一時記憶部、２０５，３０５  操作部、２０６，３０５，３０６  表示部、２１１，３１１  記憶媒体、２１２，３１２  タイマ、２２２  購入履歴送信部、３２１  広告取得部、３２２，３２６  情報表示部、３２３，３２７  閲覧位置特定部、３２４  閲覧位置送信部、３２５  情報取得部、３３０，３４０，３５０，３５０Ａ，３６０，３７０，３８０，３９０，６１０，６２０，６３０  画面、３３１，６２２  表示欄、３３２  選択ボタン、３５１  広告欄、３６１，３７１，３８１，３９１  クーポン、６１１  アイコン、６２３  ボタン。
【図１】
2015225601.tif 000003
【図２】
2015225601.tif 000004
【図３】
2015225601.tif 000005
【図４】
2015225601.tif 000006
【図５】
2015225601.tif 000007
【図６】
2015225601.tif 000008
【図７】
2015225601.tif 000009
【図８】
2015225601.tif 000010
【図９】
2015225601.tif 000011
【図１０】
2015225601.tif 000012
【図１１】
2015225601.tif 000013
【図１２】
2015225601.tif 000014
【図１３】
2015225601.tif 000015
【図１４】
2015225601.tif 000016
【図１５】
2015225601.tif 000017